(57)【要約】【課題】所定の保持位置から意図せず外れてしまうのを抑制することの可能なゴルフクラブ用ヘッドカバーの保持具を提供する。【解決手段】ゴルフクラブ用ヘッドカバーの保持具は、ヘッドカバーを保持するための所定の保持位置に配置される第１コネクタ１０と、所定の取付部材を用いてヘッドカバーに設けられる第２コネクタ２０であって、第１コネクタ１０と着脱可能に嵌合するように形成された第２コネクタ２０と、一方のコネクタ１０に設けられた係止部１３であって、各コネクタ１０，２０が嵌合したときに他方のコネクタ２０に係止して、他方のコネクタ２０が嵌合方向と異なる第１方向に移動するのを規制する係止部１３と、を備え、係止部１３は、他方のコネクタ２０に係止している状態で他方のコネクタ２０が第１方向と異なる第２方向に移動した場合に、他方のコネクタ２０の係止状態を解除するように形成されている。【選択図】図５
2019130187.tif 000002
【特許請求の範囲】
【請求項１】
ゴルフクラブ用ヘッドカバーを保持するための所定の保持位置に配置される第１コネクタと、
所定の取付部材を用いて前記ゴルフクラブ用ヘッドカバーに設けられる第２コネクタであって、前記第１コネクタと着脱可能に嵌合するように形成された第２コネクタと、
前記第１コネクタ及び前記第２コネクタのうち一方のコネクタに設けられた係止部であって、前記第１コネクタと前記第２コネクタとが嵌合したときに前記第１コネクタ及び前記第２コネクタのうち他方のコネクタに係止して、前記他方のコネクタが嵌合方向と異なる第１方向に移動するのを規制する係止部と、を備え、
前記係止部は、前記他方のコネクタに係止している状態において、前記一方のコネクタに対する前記他方のコネクタの位置が前記第１方向と異なる第２方向に移動した場合に、前記他方のコネクタの係止状態を解除するように形成されている、
ゴルフクラブ用ヘッドカバーの保持具。
【請求項２】
前記第１方向は、前記一方のコネクタに対して前記他方のコネクタが嵌合する方向の逆方向である、請求項１に記載のゴルフクラブ用ヘッドカバーの保持具。
【請求項３】
前記第１方向は、前記一方のコネクタに対して前記他方のコネクタが嵌合する方向に直交する方向である、請求項１に記載のゴルフクラブ用ヘッドカバーの保持具。
【請求項４】
前記第１コネクタ及び前記第２コネクタのうち一方のコネクタは、第１磁石を備え、
前記第１コネクタ及び前記第２コネクタのうち他方のコネクタは、前記第１磁石と引き合う第２磁石又は磁性体を備える、請求項１〜３の何れかに記載のゴルフクラブ用ヘッドカバーの保持具。
【請求項５】
前記ゴルフクラブ用ヘッドカバーはパター用ヘッドカバーである、請求項１〜４の何れかに記載のゴルフクラブ用ヘッドカバーの保持具。
【請求項６】
前記ゴルフクラブ用ヘッドカバーに取付可能な第１取付具を前記取付部材として備え、
前記第２コネクタは前記第１取付具に設けられている、請求項１〜５の何れかに記載のゴルフクラブ用ヘッドカバーの保持具。
【請求項７】
前記第１取付具のうち、少なくとも、前記ゴルフクラブ用ヘッドカバーがゴルフクラブに取り付けられた場合に前記ゴルフクラブに接触する部分は、前記ゴルフクラブを傷付けない材料で構成されている、請求項６に記載のゴルフクラブ用ヘッドカバーの保持具。
【請求項８】
前記第１取付具は、前記ゴルフクラブ用ヘッドカバーに引っ掛かるフック部を備える、請求項６又は７に記載のゴルフクラブ用ヘッドカバーの保持具。
【請求項９】
前記第１取付具は、前記ゴルフクラブ用ヘッドカバーを挟持する一対の挟持部を備える、請求項６又は７に記載のゴルフクラブ用ヘッドカバーの保持具。
【請求項１０】
前記第１取付具は、前記一対の挟持部が互いに接近するように付勢する付勢部を備える、請求項９に記載のゴルフクラブ用ヘッドカバーの保持具。
【請求項１１】
前記一対の挟持部は、各挟持部が離間する方向に弾性変形する屈曲部を介して接続されている、請求項９に記載のゴルフクラブ用ヘッドカバーの保持具。
【請求項１２】
ゴルフのプレイヤーの着用物に取付可能な第２取付具を備え、
前記第１コネクタは前記第２取付具に設けられている、請求項１〜１１の何れかに記載のゴルフクラブ用ヘッドカバーの保持具。
【請求項１３】
前記第２取付具のうち、少なくとも、前記第２取付具が前記着用物に取り付けられた場合に前記着用物に接触する部分は、前記着用物を傷付けない材料で構成されている、請求項１２に記載のゴルフクラブ用ヘッドカバーの保持具。
【請求項１４】
前記第２取付具は、前記着用物に引っ掛かるフック部を備える、請求項１２又は１３に記載のゴルフクラブ用ヘッドカバーの保持具。
【請求項１５】
前記第２取付具は、前記着用物に巻き付けられる巻付部を備える、請求項１２又は１３に記載のゴルフクラブ用ヘッドカバーの保持具。
【請求項１６】
前記第２取付具は、前記着用物を挟持する一対の挟持部を備える、請求項１２又は１３に記載のゴルフクラブ用ヘッドカバーの保持具。
【請求項１７】
前記第２取付具は、前記一対の挟持部が互いに接近するように付勢する付勢部を備える、請求項１６に記載のゴルフクラブ用ヘッドカバーの保持具。
【請求項１８】
前記一対の挟持部は、各挟持部が離間する方向に弾性変形する屈曲部を介して接続されている、請求項１６に記載のゴルフクラブ用ヘッドカバーの保持具。
【発明の詳細な説明】
【技術分野】
【０００１】
本発明は、ゴルフクラブ用ヘッドカバーの保持具に関する。
【背景技術】
【０００２】
従来、ゴルフクラブ（例えば、ウッド、アイアン、ユーティリティー、パター等）のヘッドを保護するためのゴルフクラブ用ヘッドカバーを、ゴルフクラブを使用する際に当該ヘッドから取り外して、例えば地面等に置き忘れたり紛失したりするのを防ぐために、ゴルフのプレイヤーの衣服等に設けられた保持具にヘッドカバーを着脱可能に形成することが知られている（例えば、特許文献１）。
【０００３】
特許文献１に記載された技術では、磁石が先端に設けられたヘッドカバー吊り下げ紐がプレイヤーのベルトに装着されており、ヘッドカバーには、当該磁石と引き合う鉄片が設けられている。そして、ヘッドカバーの鉄片をヘッドカバー吊り下げ紐の磁石に近付けることによって、ヘッドカバーをヘッドカバー吊り下げ紐に取り付ける（保持する）ようになっている。
【先行技術文献】
【特許文献】
【０００４】
【特許文献１】実用新案登録第３２０９１８８号公報
【発明の概要】
【発明が解決しようとする課題】
【０００５】
ところで、特許文献１に記載された技術では、ヘッドカバー吊り下げ紐に設けられた磁石の磁力のみによってヘッドカバーを保持しているので、ヘッドカバー吊り下げ紐に取り付けられたヘッドカバーは、引っ張るだけで簡単に取り外される。このため、例えば、プレイヤーの腕やゴルフクラブ等がヘッドカバーに引っ掛かったときに当該ヘッドカバーがヘッドカバー吊り下げ紐から意図せず外れることによって紛失等する虞があった。
【０００６】
本発明は上記課題に鑑みてなされたものであり、所定の保持位置から意図せず外れてしまうのを抑制することの可能なゴルフクラブ用ヘッドカバーの保持具を提供することを目的とする。
【課題を解決するための手段】
【０００７】
上記課題を解決するために、第一に本発明は、ゴルフクラブ用ヘッドカバーを保持するための所定の保持位置に配置される第１コネクタと、所定の取付部材を用いて前記ゴルフクラブ用ヘッドカバーに設けられる第２コネクタであって、前記第１コネクタと着脱可能に嵌合するように形成された第２コネクタと、前記第１コネクタ及び前記第２コネクタのうち一方のコネクタに設けられた係止部であって、前記第１コネクタと前記第２コネクタとが嵌合したときに前記第１コネクタ及び前記第２コネクタのうち他方のコネクタに係止して、前記他方のコネクタが嵌合方向と異なる第１方向に移動するのを規制する係止部と、を備え、前記係止部は、前記他方のコネクタに係止している状態において、前記一方のコネクタに対する前記他方のコネクタの位置が前記第１方向と異なる第２方向に移動した場合に、前記他方のコネクタの係止状態を解除するように形成されている、ゴルフクラブ用ヘッドカバーの保持具を提供する（発明１）。
【０００８】
かかる発明（発明１）によれば、所定の保持位置に配置された第１コネクタに対して、ゴルフクラブ用ヘッドカバーに設けられる第２コネクタを嵌合させることにより、ゴルフクラブ用ヘッドカバーを所定の保持位置に保持することができる。また、第１コネクタと第２コネクタとが嵌合した場合には、一方のコネクタに対する他方のコネクタの位置が第１方向と異なる第２方向に移動するまでの間、他方のコネクタの係止状態が係止部によって維持されるので、例えば、ゴルフクラブ用ヘッドカバーが第１方向に引っ張られた場合に、所定の保持位置から簡単に外されるのを抑制することができる。さらに、かかる発明（発明１）によれば、所定の取付部材を用いて第２コネクタをゴルフクラブ用ヘッドカバーに設けることができるので、例えば、ゴルフクラブ用ヘッドカバーの保持具が設けられていない既存のゴルフクラブ用ヘッドカバーに対して第２コネクタを容易に設けることができる。
【０００９】
上記発明（発明１）においては、前記第１方向は、前記一方のコネクタに対して前記他方のコネクタが嵌合する方向の逆方向であってもよい（発明２）。
【００１０】
かかる発明（発明２）によれば、第１コネクタと第２コネクタとが嵌合している状態でゴルフクラブ用ヘッドカバーが嵌合方向の逆方向に引っ張られた場合に、所定の保持位置から簡単に外されるのを抑制することができる。
【００１１】
上記発明（発明１）においては、前記第１方向は、前記一方のコネクタに対して前記他方のコネクタが嵌合する方向に直交する方向であってもよい（発明３）。
【００１２】
かかる発明（発明３）によれば、第１コネクタと第２コネクタとが嵌合している状態でゴルフクラブ用ヘッドカバーが嵌合方向に直交する方向に引っ張られた場合に、所定の保持位置から簡単に外されるのを抑制することができる。
【００１３】
上記発明（発明１〜３）においては、前記第１コネクタ及び前記第２コネクタのうち一方のコネクタは、第１磁石を備え、前記第１コネクタ及び前記第２コネクタのうち他方のコネクタは、前記第１磁石と引き合う第２磁石又は磁性体を備えてもよい（発明４）。
【００１４】
かかる発明（発明４）によれば、第１磁石と第２磁石又は磁性体との間の引き合う磁力によって、第１コネクタと第２コネクタとを容易に嵌合することができるとともに、ゴルフクラブ用ヘッドカバーの保持状態の安定性を向上させることができる。
【００１５】
上記発明（発明１〜４）においては、前記ゴルフクラブ用ヘッドカバーはパター用ヘッドカバーであってもよい（発明５）。
【００１６】
ここで、パターは他のゴルフクラブと異なり基本的にグリーン上でのみ用いるものであるが、グリーンの芝は極めてデリケートであり、繊細な扱いを要する場所であるため、容易にヘッドカバーをグリーン上に置くことはできない。また、ホールアウト直後は往々にしてプレイヤーの気が緩みがちであり、グリーン周辺に置いたヘッドカバーをそのまま忘れてしまうことが多々ある。さらに、グリーン上では同伴プレイヤーとの距離が極めて近くなるため、例えば同伴プレイヤーのパッティング中に不注意でヘッドカバーを落としてしまうと、同伴プレイヤーのプレイに影響を与えてしまう可能性が高い。かかる発明（発明５）によれば、パター用ヘッドカバーの置き忘れや不意な落下等を抑制することができる。
【００１７】
上記発明（発明１〜５）においては、前記ゴルフクラブ用ヘッドカバーに取付可能な第１取付具を前記取付部材として備え、前記第２コネクタは前記第１取付具に設けられてもよい（発明６）。
【００１８】
かかる発明（発明６）によれば、第１取付具をゴルフクラブ用ヘッドカバーに取り付けることによって、第２コネクタをゴルフクラブ用ヘッドカバーに設けることができる。
【００１９】
上記発明（発明６）においては、前記第１取付具のうち、少なくとも、前記ゴルフクラブ用ヘッドカバーがゴルフクラブに取り付けられた場合に前記ゴルフクラブに接触する部分は、前記ゴルフクラブを傷付けない材料で構成されてもよい（発明７）。
【００２０】
かかる発明（発明７）によれば、例えば、ゴルフクラブ用ヘッドカバーがゴルフクラブに取り付けられた場合に、当該ゴルフクラブ用ヘッドカバーに設けられた第１取付具がゴルフクラブに接触することによって当該ゴルフクラブに傷が付くのを抑制することができる。
【００２１】
上記発明（発明６〜７）においては、前記第１取付具は、前記ゴルフクラブ用ヘッドカバーに引っ掛かるフック部を備えてもよい（発明８）。
【００２２】
かかる発明（発明８）によれば、フック部をゴルフクラブ用ヘッドカバーに引っ掛けることによって、第１取付具をゴルフクラブ用ヘッドカバーに簡単に取り付けることができる。
【００２３】
上記発明（発明６〜７）においては、前記第１取付具は、前記ゴルフクラブ用ヘッドカバーを挟持する一対の挟持部を備えてもよい（発明９）。
【００２４】
かかる発明（発明９）によれば、ゴルフクラブ用ヘッドカバーを挟むように一対の挟持部を配置することによって、第１取付具をゴルフクラブ用ヘッドカバーに簡単に取り付けることができる。
【００２５】
上記発明（発明９）においては、前記第１取付具は、前記一対の挟持部が互いに接近するように付勢する付勢部を備えてもよい（発明１０）。
【００２６】
かかる発明（発明１０）によれば、一対の挟持部が互いに接近するように付勢されているので、第１取付具がゴルフクラブ用ヘッドカバーに取り付けられている場合の取付状態の安定性を向上させることができる。
【００２７】
上記発明（発明９）においては、前記一対の挟持部は、各挟持部が離間する方向に弾性変形する屈曲部を介して接続されてもよい（発明１１）。
【００２８】
かかる発明（発明１１）によれば、屈曲部が弾性変形していない場合に各挟持部がゴルフクラブ用ヘッドカバーを挟持することができるので、第１取付具がゴルフクラブ用ヘッドカバーに取り付けられている場合の取付状態の安定性を向上させることができる。
【００２９】
上記発明（発明１〜１１）においては、ゴルフのプレイヤーの着用物に取付可能な第２取付具を備え、前記第１コネクタは前記第２取付具に設けられてもよい（発明１２）。
【００３０】
かかる発明（発明１２）によれば、ゴルフクラブ用ヘッドカバーを、ゴルフのプレイヤーの着用物に取り付けるようにして保持することができる。
【００３１】
上記発明（発明１２）においては、前記第２取付具のうち、少なくとも、前記第２取付具が前記着用物に取り付けられた場合に前記着用物に接触する部分は、前記着用物を傷付けない材料で構成されてもよい（発明１３）。
【００３２】
かかる発明（発明１３）によれば、例えば、第２取付具が着用物に取り付けられた場合に、第２取付具が着用物に接触することによって着用物に傷が付くのを抑制することができる。
【００３３】
上記発明（発明１２〜１３）においては、前記第２取付具は、前記着用物に引っ掛かるフック部を備えてもよい（発明１４）。
【００３４】
かかる発明（発明１４）によれば、フック部をゴルフのプレイヤーの着用物に引っ掛けることによって、第２取付具を着用物に簡単に取り付けることができる。
【００３５】
上記発明（発明１２〜１３）においては、前記第２取付具は、前記着用物に巻き付けられる巻付部を備えてもよい（発明１５）。
【００３６】
かかる発明（発明１５）によれば、巻付部をゴルフのプレイヤーの着用物に巻き付けることによって、第２取付具を着用物に簡単に取り付けることができる。
【００３７】
上記発明（発明１２〜１３）においては、前記第２取付具は、前記着用物を挟持する一対の挟持部を備えてもよい（発明１６）。
【００３８】
かかる発明（発明１６）によれば、ゴルフのプレイヤーの着用物を挟むように一対の挟持部を配置することによって、第２取付具を着用物に簡単に取り付けることができる。
【００３９】
上記発明（発明１６）においては、前記第２取付具は、前記一対の挟持部が互いに接近するように付勢する付勢部を備えてもよい（発明１７）。
【００４０】
かかる発明（発明１７）によれば、一対の挟持部が互いに接近するように付勢されているので、第２取付具が着用物に取り付けられている場合の取付状態の安定性を向上させることができる。
【００４１】
上記発明（発明１６）においては、前記一対の挟持部は、各挟持部が離間する方向に弾性変形する屈曲部を介して接続されてもよい（発明１８）。
【００４２】
かかる発明（発明１８）によれば、屈曲部が弾性変形していない場合に各挟持部が着用物を挟持することができるので、第２取付具が着用物に取り付けられている場合の取付状態の安定性を向上させることができる。
【発明の効果】
【００４３】
本発明のゴルフクラブ用ヘッドカバーの保持具によれば、所定の保持位置から意図せず外れてしまうのを抑制することができる。
【図面の簡単な説明】
【００４４】
【図１】本発明の一実施形態に係るゴルフクラブ用ヘッドカバーの保持具の基本構成を概略的に示す図である。
【図２】第１コネクタの側面図である。
【図３】第１コネクタの正面図である。
【図４】第２コネクタの構成を説明するための図である。
【図５】（ａ）〜（ｃ）は、第１コネクタと第２コネクタとが嵌合するときの動作を説明するための図である。
【図６】（ａ）〜（ｃ）は、第２コネクタの係止状態が解除されるときの動作を説明するための図である。
【図７】第１取付具の他の構成の一例を説明するための第２コネクタの側面図である。
【図８】（ａ）〜（ｃ）は、第１取付具の他の構成の一例を説明するための図である。
【図９】（ａ）〜（ｄ）は、第２取付具の他の構成の一例を説明するための図である。
【図１０】第２取付具の他の構成の一例を説明するための図である。
【図１１】変形例に係る第１コネクタ及び第２コネクタの構成を概略的に示す図である。
【図１２】（ａ）〜（ｂ）は、変形例に係る第１コネクタと第２コネクタとが嵌合するときの動作を説明するための図である。
【図１３】（ａ）〜（ｂ）は、変形例に係る第１コネクタと第２コネクタとが嵌合するときの動作を説明するための図である。
【発明を実施するための形態】
【００４５】
以下、本発明の一実施形態について添付図面を参照して詳細に説明する。ただし、この実施形態は例示であり、本発明はこれに限定されるものではない。
【００４６】
図１は、本発明の一実施形態に係るゴルフクラブ用ヘッドカバーの保持具の基本構成を概略的に示す図であり、図２は、第１コネクタの側面図であり、図３は、第１コネクタの正面図であり、図４は、第２コネクタの構成を説明するための図である。
【００４７】
本実施形態に係るゴルフクラブ用ヘッドカバー（以下、ヘッドカバーと称する。）は、ゴルフクラブ（例えば、ウッド、アイアン、ユーティリティー、パター等）のヘッドを保護するものであり、図１に示すように、当該ヘッドを収容可能なサイズの袋状に形成されたヘッドカバー本体１を備えている。なお、ヘッドカバー本体１は、ゴルフクラブのヘッドだけでなく、ヘッドに連なるシャフトの付け根部分も保護可能に形成されてもよい。
【００４８】
ヘッドカバー本体１の素材としては、例えば緩衝性を有する素材（例えば、皮革、合成皮革、布、不織布、ニット等）が挙げられるが、これに限定されない。また、ヘッドカバー本体１は、外側と内側で異なる素材（例えば、外側が合成皮革、内側が起毛布等）によって形成されてもよいし、ヘッドの保護効果を高めるために、外側の素材と内側の素材との間に例えばクッション材が設けられてもよい。
【００４９】
本実施形態に係るヘッドカバーの保持具は、第１コネクタ１０と、第１コネクタ１０と着脱可能に嵌合するように形成された第２コネクタ２０と、ヘッドカバーのヘッドカバー本体１に取付可能な第１取付具Ａと、ゴルフのプレイヤーの着用物（例えば衣服（シャツやズボン等）のポケットやベルト等）に取付可能な第２取付具Ｂと、から構成されている。ここで、第１コネクタ１０は、第２取付具Ｂに設けられており、第２コネクタ２０は、第１取付具Ａに設けられている。なお、第１取付具Ａは、本発明の「取付部材」の一例である。
【００５０】
本実施形態では、第２コネクタ２０が第１取付具Ａに設けられているので、第１取付具Ａをヘッドカバー本体１に取り付けることによって、第２コネクタ２０をヘッドカバーに設けることができる。また、本実施形態では、第１コネクタ１０が第２取付具Ｂに設けられているので、ヘッドカバーを、ゴルフのプレイヤーの着用物に取り付けるようにして保持することができる。
【００５１】
第１コネクタ１０は、図１及び図２に示すように、側面視逆Ｕ字状のフック部Ｂ１が設けられた第２取付具ＢにネジＢ２を用いて固定されており、第２取付具Ｂのフック部Ｂ１をポケットやベルト等に例えば上方から引っ掛けることによって、当該ポケットやベルト等（ヘッドカバーを保持するための所定の保持位置）に固定して配置されるようになっている。本実施形態では、フック部Ｂ１をゴルフのプレイヤーの着用物に引っ掛けることによって、第２取付具Ｂを着用物に簡単に取り付けることができる。第１コネクタ１０は、例えばゴム、金属、合成樹脂（例えばプラスチック）等から構成されており、図３に示すように、第２取付具Ｂに固定される楕円板状の基部１１と、基部１１の表面上に設けられた中空状の凹部１２と、凹部１２の内部に設けられた係止部１３と、を備えている。
【００５２】
基部１１の幅方向（図中Ｙ方向）両端側には、ネジＢ２を挿通するための挿通孔（図示省略）が設けられており、基部１１は、ネジＢ２を当該挿通孔に挿通することによって、第２取付具Ｂに固定されるようになっている。
【００５３】
凹部１２は、上方（図中Ｚ方向）が開口した正面視略Ｕ字形状を有しており、第２コネクタ２０の凸部２２（後述する）を凹部１２の内周側（略Ｕ字の内側）に挿入することによって、第２コネクタ２０と嵌合するように形成されている。
【００５４】
係止部１３は、凹部１２に沿って延在する正面視略Ｕ字形状を有しており、第１コネクタ１０の幅方向（図中Ｙ方向）に沿って弾性変形可能に形成されている。また、係止部１３の両端部には、凹部１２の内周側から互いに近づく方向に突出する一対の突起部１３ａが設けられている。
【００５５】
また、本実施形態では、凹部１２の内周側における基部１１の内部に第１磁石１４が設けられている。第１磁石１４の磁力は、例えば第１コネクタ１０と第２コネクタ２０との嵌合操作の容易性やゴルフクラブ用ヘッドカバーの保持状態の安定性等に応じて、適宜設定されてもよい。
【００５６】
第２コネクタ２０は、例えば面ファスナー、ボタン等の第１取付具Ａに設けられており、第１取付具Ａをヘッドカバー本体１の所定の取付位置に取り付けることによって、ヘッドカバーに設けられる。また、第２コネクタ２０は、例えば接着剤やシール等の取付部材を用いて、ヘッドカバーの任意の位置に設けられてもよい。第２コネクタ２０は、例えばゴム、金属、合成樹脂（例えばプラスチック）等から構成されており、図４に示すように、第１取付具Ａに取り付けられる円板状の基部２１と、基部２１の表面上に設けられた凸部２２と、を備えている。
【００５７】
凸部２２は、嵌合方向（図中Ｘ方向）に延在する円柱形状を有しており、第１コネクタ１０の凹部１２の内周側に挿入可能に形成されている。また、凸部２２は、基部２１側の真直部２２ａと、真直部２２ａの先端側（図４において下側）に設けられた先端部２２ｂと、から構成されており、真直部２２ａは、先端部２２ｂよりも細く形成されている。
【００５８】
また、本実施形態では、第１磁石１４と引き合う第２磁石２３が先端部２２ｂ内に設けられている。この場合、第１磁石１４と第２磁石２３との間の引き合う磁力によって、第１コネクタ１０と第２コネクタ２０とを容易に嵌合することができるとともに、ヘッドカバーの保持状態の安定性を向上させることができる。なお、第２磁石２３の磁力は、第１磁石１４と同様に適宜設定されてもよい。
【００５９】
なお、第１取付具Ａのうち、少なくとも、ヘッドカバーがゴルフクラブに取り付けられた場合に当該ゴルフクラブに接触する部分は、当該ゴルフクラブを傷付けない材料（例えば、ゴム、合成樹脂（例えばプラスチック）等のように所定の柔軟性や緩衝性を有する材料）で構成されてもよい。この場合、例えば、ヘッドカバーがゴルフクラブに取り付けられた場合に、ヘッドカバーに設けられた第１取付具Ａがゴルフクラブに接触することによって当該ゴルフクラブに傷が付くのを抑制することができる。
【００６０】
また、第２取付具Ｂのうち、少なくとも、第２取付具Ｂがゴルフのプレイヤーの着用物に取り付けられた場合に当該着用物に接触する部分（例えばフック部Ｂ１等）は、当該着用物を傷付けない材料（例えば、ゴム、合成樹脂（例えばプラスチック）等のように所定の柔軟性や緩衝性を有する材料）で構成されてもよい。この場合、例えば、第２取付具Ｂが着用物に取り付けられた場合に、第２取付具Ｂが当該着用物に接触することによって当該着用物に傷が付くのを抑制することができる。
【００６１】
以上のように構成された保持具を用いてヘッドカバーをポケットやベルト等（所定の保持位置）に保持する方法について、図５を参照して説明する。図５（ａ）〜（ｃ）は、第１コネクタ１０と第２コネクタ２０とが嵌合するときの動作を説明するための図である。なお、ここでは、第１コネクタ１０と第２コネクタ２０とが嵌合したときに、第２コネクタ２０が嵌合方向と異なる第１方向に移動することが規制される場合を一例として説明する。先ず、図５（ａ）に示すように、凸部２２の先端部２２ｂと第１コネクタ１０の凹部１２とが嵌合方向（図中Ｘ方向）に沿って対向するように、第２コネクタ２０を配置する。
【００６２】
次に、図５（ｂ）に示すように、第２コネクタ２０の凸部２２を嵌合方向（図中Ｘ方向）に移動させ、第１コネクタ１０の凹部１２の内周側に挿入する。このとき、第２コネクタ２０の凸部２２は、第２磁石２３が第１磁石１４と引き合うことにより、基部１１に向かって凹部１２の内周側を通過するように引き寄せられる。また、係止部１３は、各突起部１３ａが凸部２２の先端部２２ｂに接触しながら幅方向（図中Ｙ方向）に沿って離れていくように、弾性変形する。
【００６３】
そして、図５（ｃ）に示すように、凸部２２の先端部２２ｂが各突起部１３ａよりも基部１１側に位置すると、係止部１３の弾性変形が復元して、各突起部１３ａが凸部２２の真直部２２ａに係止する。このとき、係止部１３の各突起部１３ａが凸部２２の先端部２２ｂの上方（つまり、嵌合方向（図中Ｘ方向）の逆方向側）に位置しているので、第２コネクタ２０が嵌合方向（図中Ｘ方向）と異なる第１方向（つまり、嵌合方向の逆方向（図中逆Ｘ方向））に移動するのを係止部１３によって規制することができる。
【００６４】
このように第１コネクタ１０と第２コネクタ２０とが嵌合することによって、ヘッドカバーをポケットやベルト等に保持することができる。
【００６５】
次に、図６を参照して、ヘッドカバーをポケットやベルト等（所定の保持位置）から取り外す方法について説明する。図６（ａ）〜（ｃ）は、第２コネクタ２０の係止状態が解除されるときの動作を説明するための図である。ここで、図６（ａ）は、図６（ｃ）の状態をＹＺ平面で見た場合を示す図である。
【００６６】
図６（ａ）の状態において、図６（ｂ）に示すように、第２コネクタ２０の凸部２２を、第１方向（図中逆Ｘ方向）と異なる第２方向（ここでは、上方（図中Ｚ方向））に移動させると、係止部１３は、各突起部１３ａが凸部２２の真直部２２ａに接触しながら幅方向（図中Ｙ方向）に沿って離れていくように、弾性変形する。
【００６７】
そして、図６（ｃ）に示すように、第２コネクタ２０の凸部２２をさらに上方（図中Ｚ方向）に移動させることにより、凸部２２が各突起部１３ａよりも上方（図中Ｚ方向）に位置すると、係止部１３の弾性変形が復元するとともに、係止部１３による凸部２２の係止状態が解除される。これにより、ヘッドカバーをポケットやベルト等から取り外すことができる。
【００６８】
上述したように、本実施形態に係るヘッドカバーの保持具によれば、ポケットやベルト等（所定の保持位置）に配置された第１コネクタ１０に対して、ヘッドカバーに設けられる第２コネクタ２０を嵌合させることにより、ヘッドカバーをポケットやベルト等に保持することができる。また、第１コネクタ１０と第２コネクタ２０とが嵌合した場合には、第１コネクタ１０（一方のコネクタ）に対する第２コネクタ２０（他方のコネクタ）の位置が第１方向（本実施形態では、嵌合方向（図中Ｘ方向）の逆方向（図中逆Ｘ方向））と異なる第２方向（本実施形態では、上方（図中Ｚ方向））に移動するまでの間、第２コネクタ２０（他方のコネクタ）の係止状態が係止部１３によって維持されるので、例えば、ヘッドカバーが第１方向（嵌合方向（図中Ｘ方向）の逆方向（図中逆Ｘ方向））に引っ張られた場合に、ポケットやベルト等（所定の保持位置）から簡単に外されるのを抑制することができる。さらに、本実施形態に係るヘッドカバー及びその保持具によれば、第１取付具Ａを用いて第２コネクタ２０をヘッドカバーに設けることができるので、例えば、ヘッドカバーの保持具が設けられていない既存のヘッドカバーに対して第２コネクタ２０を容易に設けることができる。
【００６９】
なお、本実施形態のヘッドカバーは、ウッド、アイアン、ユーティリティー、パター等の何れのヘッド形状のゴルフクラブ用であってもよいものの、特にヘッドカバーがパター用ヘッドカバーである場合に、本実施形態の構成を用いることが有効である。すなわち、パターは他のゴルフクラブと異なり基本的にグリーン上でのみ用いるものであるが、グリーンの芝は極めてデリケートであり、繊細な扱いを要する場所であるため、容易にヘッドカバーをグリーン上に置くことはできない。また、ホールアウト直後は往々にしてプレイヤーの気が緩みがちであり、グリーン周辺に置いたヘッドカバーをそのまま忘れてしまうことが多々ある。さらに、グリーン上では同伴プレイヤーとの距離が極めて近くなるため、例えば同伴プレイヤーのパッティング中に不注意でヘッドカバーを落としてしまうと、同伴プレイヤーのプレイに影響を与えてしまう可能性が高い。このような観点から、パター用ヘッドカバーに本実施形態の構成を用いることが極めて有効であると考えられる。
【００７０】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００７１】
上記実施形態では、第１コネクタ１０が凹部１２を備え、第２コネクタ２０が凸部２２を備える場合を一例として説明したが、この場合に限られない。例えば、第１コネクタ１０が凸部を有し、第２コネクタ２０が凹部を有してもよい。
【００７２】
また、上記実施形態では、係止部１３が第１コネクタ１０に設けられている場合を一例として説明したが、この場合に限られない。例えば、係止部１３は、第２コネクタ２０に設けられてもよい。
【００７３】
さらに、上記実施形態では、第１コネクタ１０と第２コネクタ２０とが嵌合している状態で第２コネクタ２０を上方（図中Ｚ方向）に移動させることにより、第２コネクタ２０の係止状態を解除する場合を一例として説明したが、この場合に限られない。例えば、第２コネクタ２０を、下方（図中逆Ｚ方向）又は第１コネクタ１０の幅方向（図中Ｙ方向）等に移動させることにより、第２コネクタの係止状態が解除されてもよい。
【００７４】
さらにまた、上記実施形態では、第１コネクタ１０が第１磁石１４を備え、第２コネクタ２０が第２磁石２３を備える場合を一例として説明したが、この場合に限られない。例えば、第１磁石１４及び第２磁石２３の何れか一方の磁石の代わりに、他方の磁石と引き合う磁性体（例えば鉄板等）が設けられてもよい。また、各コネクタ１０，２０に磁石が設けられていなくてもよい。
【００７５】
また、上記実施形態では、第１取付具Ａが例えば面ファスナー、ボタン等で構成されている場合を一例として説明したが、この場合に限られない。第１取付具Ａには、例えば図７に示すように、側面視逆Ｕ字状のフック部Ａ１が設けられており、第１取付具Ａのフック部Ａ１を、例えばヘッドカバー本体１に形成された開口部（ゴルフクラブを収容するための開口部）の周縁部等に引っ掛けることによって、第１取付具Ａがヘッドカバー本体１に固定して取り付けるられるようになっている。これにより、第１取付具Ａをヘッドカバーに簡単に取り付けることができる。
【００７６】
ここで、例えば、第１取付具Ａのうち少なくともフック部Ａ１を、ゴルフクラブを傷付けない材料（例えば、ゴム、合成樹脂（例えばプラスチック）等のように所定の柔軟性や緩衝性を有する材料）で構成した場合には、第１取付具Ａがヘッドカバー本体１に取り付けられた場合に、フック部Ａ１がゴルフクラブに接触することによって当該ゴルフクラブに傷が付くのを抑制することができる。
【００７７】
また、第１取付具Ａは、例えば、図８（ａ）〜（ｃ）に示すように、ヘッドカバー本体１を挟持する一対の挟持部を備えてもよい。この場合、ヘッドカバー本体１（例えば、ゴルフクラブを収容するための開口部の周縁部等）を挟むように一対の挟持部を配置することによって、第１取付具Ａをヘッドカバーに簡単に取り付けることができる。
【００７８】
図８（ａ）に示す第１取付具Ａは、例えばサスペンダークリップと同様の構成を有しており、上下方向に対向する板状の一対の挟持部Ａ２と、一対の挟持部Ａ２の上方に配置され、各挟持部Ａ２が互いに接近するように付勢する板状の付勢部Ａ３と、を備えている。なお、図８（ａ）に示す例では、第２コネクタ２０が、付勢部Ａ３の上面に設けられている。各挟持部Ａ２のうち上方の挟持部Ａ２と、付勢部Ａ３とは、各挟持部Ａ２のうち下方の挟持部Ａ２に対して上下方向に回動可能に下方の挟持部Ａ２に軸支されている。付勢部Ａ３は、下方に回動した場合に、上方の挟持部Ａ２を下方（つまり、下方の挟持部Ａ２側）に押圧することによって、各挟持部Ａ２が互いに接近するように付勢するようになっている。かかる第１取付具Ａを用いた場合、一対の挟持部Ａ２が互いに接近するように付勢されているので、第１取付具Ａをヘッドカバー本体１に固定するように取り付けることができ、第１取付具Ａがヘッドカバー本体１に取り付けられている場合の取付状態の安定性を向上させることができる。なお、ここでは、付勢部Ａ３が、上方の挟持部Ａ２を下方に押圧する板状の部材で形成されている場合を一例として説明したが、付勢部Ａ３は、例えば、各挟持部Ａ２が互いに接近するように付勢するバネで構成されてもよい。
【００７９】
なお、例えば、各挟持部Ａ２のうち少なくとも下方の挟持部Ａ２を、ゴルフクラブを傷付けない材料（例えば、ゴム、合成樹脂（例えばプラスチック）等のように所定の柔軟性や緩衝性を有する材料）で構成した場合には、第１取付具Ａがヘッドカバー本体１に取り付けられた場合に、下方の挟持部Ａ２がゴルフクラブに接触することによって当該ゴルフクラブに傷が付くのを抑制することができる。
【００８０】
図８（ｂ）に示す第１取付具Ａは、例えばマネークリップと同様の構成を有しており、上下方向に対向する板状の一対の挟持部Ａ４と、一対の挟持部Ａ４の各々の長手方向一端側の端部を接続する屈曲部Ａ５と、を備えている。なお、図８（ｂ）に示す例では、第２コネクタ２０が、一方（ここでは、上方）の挟持部Ａ４の上面に設けられている。各挟持部Ａ４は、長手方向一端側から他端側に向かって間隔が小さくなるように形成されており、間隔が最も小さい部分においてヘッドカバー本体１を挟持するようになっている。また、屈曲部Ａ５は、各挟持部Ａ４が離間する方向（ここでは、上方）に弾性変形するように形成されており、屈曲部Ａ５が弾性変形すると、各挟持部Ａ４の間隔が広がることによって、ヘッドカバー本体１を挟むように各挟持部Ａ４を配置することができる。また、屈曲部Ａ５の弾性変形が復元すると、各挟持部Ａ４は、元の位置に戻ってヘッドカバー本体１を挟持する。かかる第１取付具Ａを用いることにより、屈曲部Ａ５が弾性変形していない場合に各挟持部Ａ４がヘッドカバー本体１を挟持することができるので、第１取付具Ａをヘッドカバー本体１に固定するように取り付けることができ、第１取付具Ａがヘッドカバー本体１に取り付けられている場合の取付状態の安定性を向上させることができる。
【００８１】
なお、例えば、各挟持部Ａ４のうち少なくとも下方の挟持部Ａ４を、ゴルフクラブを傷付けない材料（例えば、ゴム、合成樹脂（例えばプラスチック）等のように所定の柔軟性や緩衝性を有する材料）で構成した場合には、第１取付具Ａがヘッドカバー本体１に取り付けられた場合に、下方の挟持部Ａ４がゴルフクラブに接触することによって当該ゴルフクラブに傷が付くのを抑制することができる。
【００８２】
図８（ｃ）に示す第１取付具Ａは、例えば長手方向一端側の端部が接続された一対の挟持部Ａ６と、各挟持部Ａ６に設けられた磁石Ａ７と、を備えており、各挟持部Ａ６の接続部分を折り曲げ線として折り曲げられるように形成されている。なお、図８（ｃ）に示す例では、第２コネクタ２０が、一方（ここでは、上方）の挟持部Ａ６の上面に設けられている。一対の挟持部Ａ６のうち一方の挟持部Ａ６を他方の挟持部Ａ６側に折り曲げると、一方の挟持部Ａ６に設けられた磁石Ａ７と、他方の挟持部Ａ６に設けられた磁石Ａ７とが互いに引き合うことによって、一方の挟持部Ａ６を他方の挟持部Ａ６に付着させることができる。また、各挟持部Ａ６間にヘッドカバー本体１が存在する場合には、一方の挟持部Ａ６を他方の挟持部Ａ６側に折り曲げることによって、ヘッドカバー本体１を各挟持部Ａ６で挟持することができる。かかる第１取付具Ａを用いることにより、一方の挟持部Ａ６が他方の挟持部Ａ６側に折り曲げられた場合に各挟持部Ａ４がヘッドカバー本体１を挟持することができるので、第１取付具Ａをヘッドカバー本体１に固定するように取り付けることができ、第１取付具Ａがヘッドカバー本体１に取り付けられている場合の取付状態の安定性を向上させることができる。
【００８３】
なお、例えば、各挟持部Ａ６のうち少なくとも下方の挟持部Ａ６を、ゴルフクラブを傷付けない材料（例えば、ゴム、合成樹脂（例えばプラスチック）等のように所定の柔軟性や緩衝性を有する材料）で構成した場合には、第１取付具Ａがヘッドカバー本体１に取り付けられた場合に、下方の挟持部Ａ６がゴルフクラブに接触することによって当該ゴルフクラブに傷が付くのを抑制することができる。
【００８４】
また、図８（ｃ）に示す例では、各挟持部Ａ６に磁石が設けられている場合を一例として説明したが、これに限られない。例えば、一対の挟持部Ａ６のうち何れか一方の挟持部Ａ６に設けられた磁石Ａ７の代わりに、他方の挟持部Ａ６に設けられた磁石Ａ７と引き合う磁性体（例えば鉄板等）が設けられてもよい。
【００８５】
また、上述した第１取付具Ａは、ヘッドカバー本体１に固定して取り付けられるように形成されている。これにより、例えば、保持状態のヘッドカバーを取り外す場合（上記実施形態の例では、第２コネクタ２０の係止状態を解除する場合）に、第１取付具Ａが、第２コネクタ２０の係止状態を解除するための第２方向と異なる方向に第２コネクタ２０を伴って移動することによって、ヘッドカバーが取り外し難くなる（つまり、第２コネクタ２０の係止状態が解除し難くなる）のを抑制することができる。
【００８６】
さらに、上記実施形態では、第１コネクタ１０が、フック部Ｂ１を有する第２取付具Ｂに設けられている場合を一例として説明したが、この場合に限られない。第１コネクタ１０は、例えば、図９（ａ）に示すように、ゴルフのプレイヤーの着用物（例えばベルト等）に巻き付けられる巻付部Ｂ３を備える第２取付具Ｂに設けられてもよい。なお、図９（ａ）に示す例では、第１コネクタ１０が、プレイヤーの着用物に巻き付け可能な所定の長さを有する巻付部Ｂ３の外表面に設けられている。第２取付具Ｂは、巻付部Ｂ３がプレイヤーの着用物に巻き付けられた状態において、巻付部Ｂ３に設けられた例えば面ファスナー、ボタン、フック等の留具Ｂ４を用いて留め付けることにより、当該着用物に固定して取り付けられる。このように、第２取付具Ｂをゴルフのプレイヤーの着用物に巻き付けることによって、第２取付具Ｂを着用物に簡単に取り付けることができる。
【００８７】
なお、図９（ａ）に示す例では、第１コネクタ１０が巻付部Ｂ３の外表面に設けられている場合を一例として示したが、第１コネクタ１０は、例えば、図９（ｂ）に示すように、巻付部Ｂ３の長手方向に沿う方向に延在するように巻付部Ｂ３に設けられた延在部Ｂ３´上に配置されてもよい。この場合、例えば、プレイヤーの着用物に取り付けられた第２取付具Ｂの巻付部Ｂ３がプレイヤーの衣服によって覆われている状態であっても、第１コネクタ１０を当該衣服の外部に露出するように配置することができるので、当該衣服を捲ることなく、第２コネクタ２０を第１コネクタ１０に容易に取り付けることができる。
【００８８】
また、第１コネクタ１０は、例えば、図９（ｃ）〜（ｄ）及び図１０に示すように、ゴルフのプレイヤーの着用物（例えば衣服のポケットやズボンのウエスト部分、あるいはベルト等）を挟持する一対の挟持部を備える第２取付具Ｂに設けられてもよい。この場合、ゴルフのプレイヤーの着用物を挟むように一対の挟持部を配置することによって、第２取付具Ｂを着用物に簡単に取り付けることができる。
【００８９】
図９（ｃ）に示す第２取付具Ｂは、例えばサスペンダークリップと同様の構成を有しており、上下方向に対向する板状の一対の挟持部Ｂ５と、一対の挟持部Ｂ５の上方に配置され、各挟持部Ｂ５が互いに接近するように付勢する板状の付勢部Ｂ６と、を備えている。なお、図９（ｃ）に示す例では、第１コネクタ１０が、付勢部Ｂ６の上面に設けられている。各挟持部Ｂ５のうち上方の挟持部Ｂ５と、付勢部Ｂ６とは、各挟持部Ｂ５のうち下方の挟持部Ｂ５に対して上下方向に回動可能に下方の挟持部Ｂ５に軸支されている。付勢部Ｂ６は、下方に回動した場合に、上方の挟持部Ｂ５を下方（つまり、下方の挟持部Ｂ５側）に押圧することによって、各挟持部Ｂ５が互いに接近するように付勢するようになっている。かかる第２取付具Ｂを用いた場合、一対の挟持部Ｂ５が互いに接近するように付勢されているので、第２取付具Ｂを着用物に固定するように取り付けることができ、第２取付具Ｂが着用物に取り付けられている場合の取付状態の安定性を向上させることができる。なお、ここでは、付勢部Ｂ６が、上方の挟持部Ｂ５を下方に押圧する板状の部材で形成されている場合を一例として説明したが、付勢部Ｂ６は、例えば、各挟持部Ｂ５が互いに接近するように付勢するバネで構成されてもよい。
【００９０】
図９（ｄ）に示す第２取付具Ｂは、例えばマネークリップと同様の構成を有しており、上下方向に対向する板状の一対の挟持部Ｂ７と、一対の挟持部Ｂ７の各々の長手方向一端側の端部を接続する屈曲部Ｂ８と、を備えている。なお、図９（ｄ）に示す例では、第１コネクタ１０が、一方（ここでは、上方）の挟持部Ｂ７の上面に設けられている。各挟持部Ｂ７は、長手方向一端側から他端側に向かって間隔が小さくなるように形成されており、間隔が最も小さい部分において着用物を挟持するようになっている。また、屈曲部Ｂ８は、各挟持部Ｂ７が離間する方向（ここでは、上方）に弾性変形するように形成されており、屈曲部Ｂ８が弾性変形すると、各挟持部Ｂ７の間隔が広がることによって、着用物を挟むように各挟持部Ｂ７を配置することができる。また、屈曲部Ｂ８の弾性変形が復元すると、各挟持部Ｂ７は、元の位置に戻って着用物を挟持する。かかる第２取付具Ｂを用いることにより、屈曲部Ｂ８が弾性変形していない場合に各挟持部Ｂ７が着用物を挟持することができるので、第２取付具Ｂを着用物に固定するように取り付けることができ、第２取付具Ｂが着用物に取り付けられている場合の取付状態の安定性を向上させることができる。
【００９１】
図１０に示す第２取付具Ｂは、例えば長手方向一端側の端部が接続された一対の挟持部Ｂ９と、各挟持部Ｂ９に設けられた磁石Ｂ１０と、を備えており、各挟持部Ｂ９の接続部分を折り曲げ線として折り曲げられるように形成されている。なお、図１０に示す例では、第１コネクタ１０が、一方（ここでは、上方）の挟持部Ｂ９の上面に設けられている。一対の挟持部Ｂ９のうち一方の挟持部Ｂ９を他方の挟持部Ｂ９側に折り曲げると、一方の挟持部Ｂ９に設けられた磁石Ｂ１０と、他方の挟持部Ｂ９に設けられた磁石Ｂ１０とが互いに引き合うことによって、一方の挟持部Ｂ９を他方の挟持部Ｂ９に付着させることができる。また、各挟持部Ｂ９間に着用物が存在する場合には、一方の挟持部Ｂ９を他方の挟持部Ｂ９側に折り曲げることによって、着用物を各挟持部Ｂ９で挟持することができる。かかる第２取付具Ｂを用いることにより、一方の挟持部Ｂ９が他方の挟持部Ｂ９側に折り曲げられた場合に各挟持部Ｂ９が着用物を挟持することができるので、第２取付具Ｂを着用物に固定するように取り付けることができ、第２取付具Ｂが着用物に取り付けられている場合の取付状態の安定性を向上させることができる。
【００９２】
ここで、図９（ａ）〜（ｄ）及び図１０に示す第２取付具Ｂのうち、少なくとも、第２取付具がゴルフのプレイヤーの着用物に取り付けられた場合に当該着用物に接触する部分（例えば、巻付部Ｂ３、一対の挟持部Ｂ５、一対の挟持部Ｂ７、一対の挟持部Ｂ９）を、当該着用物を傷付けない材料（例えば、ゴム、合成樹脂（例えばプラスチック）等のように所定の柔軟性や緩衝性を有する材料）で構成した場合には、第２取付具Ｂが当該着用物に取り付けられた場合に、当該着用物に接触する部分が当該着用物に接触することによって当該着用物に傷が付くのを抑制することができる。
【００９３】
また、上述した第２取付具Ｂは、プレイヤーの着用物に固定して取り付けられるように形成されている。この場合、第１コネクタ１０の位置を固定することができるので、例えば、保持状態のヘッドカバーを取り外す場合（上記実施形態の例では、第２コネクタ２０の係止状態を解除する場合）に、第１コネクタ１０が、第２コネクタ２０の移動に伴って第２コネクタ２０に引っ張られるように移動することによって、ヘッドカバーが取り外し難くなる（つまり、第２コネクタ２０の係止状態が解除し難くなる）のを抑制することができる。
【００９４】
さらに、上記実施形態では、第２コネクタ２０が、例えば面ファスナー、ボタン等の第１取付具Ａを用いてヘッドカバー本体１に設けられる場合について説明したが、第２コネクタ２０は、任意のタイミング（例えば、ヘッドカバーの製造時、販売時、使用時等）でヘッドカバー本体１に設けられてもよい。
【００９５】
また、上記実施形態では、第１コネクタ１０が第２取付具Ｂに設けられている場合を一例として説明したが、この場合に限られない。第１コネクタ１０は、例えば、取付具を用いることなく、プレイヤーの着用物（例えば、シャツ又はズボンのポケットやベルト等）に直接取付可能に形成されてもよい。
【００９６】
さらに、上記実施形態では、第１方向が、第１コネクタ１０に対して第２コネクタ２０が嵌合する方向（図中Ｘ方向）の逆方向（図中逆Ｘ方向）である場合を一例として説明したが、この場合に限られない。例えば、第１方向は、第１コネクタ１０に対して第２コネクタ２０が嵌合する方向（図中Ｘ方向）に直交する方向（例えば、上下方向（図中Ｚ方向及び図中逆Ｚ方向））であってもよい。この場合、第１コネクタ１０と第２コネクタ２０とが嵌合している状態でヘッドカバーが嵌合方向に直交する方向（例えば、上下方向）に引っ張られた場合に、ポケットやベルト等（所定の保持位置）から簡単に外されるのを抑制することができる。
【００９７】
この変形例における第１コネクタ１０及び第２コネクタ２０の構成について、図１１を参照して説明する。第１コネクタ１０の基部１１には、上下方向（図中Ｚ方向）に所定の間隔をおいて設けられた一対の凸型の係止部１３であって、それぞれ第１コネクタ１０の幅方向（図中Ｙ方向）に沿って延在する一対の係止部１３が設けられている。また、一対の係止部１３間における基部１１の内部に第１磁石１４（図１２に示す）が設けられている。
【００９８】
第２コネクタ２０の基部２１には、第２コネクタ２０の幅方向（図中Ｙ方向）に沿って延在する凸部２２が設けられている。ここで、凸部２２は、第１コネクタ１０の一対の係止部１３の間に挿入可能に形成されている。また、凸部２２の先端部には、第１磁石１４と引き合う第２磁石２３（図１２に示す）が設けられている。
【００９９】
なお、一対の係止部１３及び凸部２２は、例えば図１２に示すように、一対の係止部１３の各々の先端部及び凸部２２の基端部（基部２１側の端部）が上方（図中Ｚ方向であって、図１２において左側）に傾斜するように形成されてもよい。
【０１００】
以上のように構成された保持具を用いてヘッドカバーをポケットやベルト等（所定の保持位置）に保持する方法について、図１２を参照して説明する。図１２（ａ）〜（ｂ）は、変形例に係る第１コネクタ１０と第２コネクタ２０とが嵌合するときの動作を説明するための図である。先ず、図１２（ａ）に示すように、凸部２２と第１コネクタ１０の一対の係止部１３間の空間とが嵌合方向（図中Ｘ方向）に沿って対向するように、第２コネクタ２０を配置する。
【０１０１】
次に、図１２（ｂ）に示すように、第２コネクタ２０の凸部２２を嵌合方向（図中Ｘ方向）に移動させ、第１コネクタ１０の一対の係止部１３間の空間に挿入する。このとき、第２コネクタ２０の凸部２２は、第２磁石２３が第１磁石１４と引き合うことにより、一対の係止部１３間を基部１１に向かって通過するように引き寄せられる。
【０１０２】
そして、凸部２２の先端が基部１１に達すると、一対の係止部１３が凸部２２に係止する。このとき、一対の係止部１３が凸部２２の上下方向（つまり、嵌合方向（図中Ｘ方向）に直交する上下方向（図中Ｚ方向及び図中逆Ｚ方向））に位置しているので、第２コネクタ２０が嵌合方向（図中Ｘ方向）と異なる第１方向（つまり、嵌合方向に直交する上下方向（図中Ｚ方向及び図中逆Ｚ方向））に移動するのを一対の係止部１３によって規制することができる。
【０１０３】
ところで、例えば、凸部２２の基端部が凸部２２の先端よりも下方に位置する状態で一対の係止部１３が凸部２２に係止している場合には、第２コネクタ２０の重さにより凸部２２が嵌合方向の逆方向に引っ張られることによって、第１コネクタ１０と第２コネクタ２０との嵌合状態が解除され、結果として第２コネクタ２０が落下する虞がある。一方、本変形例では、一対の係止部１３及び凸部２２は、一対の係止部１３の各々の先端部及び凸部２２の基端部（基部２１側の端部）が上方に傾斜するように形成されているので、凸部２２の先端が基部１１に達したときに、一対の係止部１３は、凸部２２の基端部が凸部２２の先端よりも上方に位置した状態で凸部２２に係止する（凸部２２を支持する）ことが可能になる。これにより、第２コネクタ２０の重さにより凸部２２が嵌合方向の逆方向に引っ張られるのを抑制することができるので、第１コネクタ１０と第２コネクタ２０との嵌合状態を安定させることができる。
【０１０４】
このように第１コネクタ１０と第２コネクタ２０とが嵌合することによって、ヘッドカバーをポケットやベルト等に保持することができる。
【０１０５】
なお、この変形例において、ヘッドカバーをポケットやベルト等（所定の保持位置）から取り外す場合には、例えば、第２コネクタ２０の凸部２２を、第１方向（図中Ｚ方向及び図中逆Ｚ方向）とは異なる第２方向（例えば、図中逆Ｘ方向又は図中Ｙ方向）に移動させることによって、一対の係止部１３による凸部２２の係止状態を解除してもよい。これにより、ヘッドカバーをポケットやベルト等から取り外すことができる。
【０１０６】
また、上記の変形例では、第１方向が図中Ｚ方向及び図中逆Ｚ方向である場合を一例として説明したが、第１方向は、図中Ｚ方向及び図中逆Ｚ方向だけでなく、図中Ｙ方向及び図中逆Ｙ方向を含んでもよい。この変形例における第１コネクタ１０及び第２コネクタ２０の構成について、図１３を参照して説明する。第１コネクタ１０の一対の係止部１３間の基部１１には、第１コネクタ１０に対して第２コネクタ２０が嵌合する方向（図中Ｘ方向）に沿って凹む係止凹部１３ｂが設けられている。なお、係止凹部１３ｂは、本発明の「係止部」の一例である。また、第２コネクタの凸部２２の先端には、係止凹部１３ｂに対して嵌合可能に形成された突起２２ａが設けられている。
【０１０７】
以上のように構成された保持具を用いてヘッドカバーをポケットやベルト等（所定の保持位置）に保持する方法について、図１３を参照して説明する。図１３（ａ）〜（ｂ）は、変形例に係る第１コネクタ１０と第２コネクタ２０とが嵌合するときの動作を説明するための図である。先ず、図１３（ａ）に示すように、凸部２２と第１コネクタ１０の一対の係止部１３間の空間とが嵌合方向（図中Ｘ方向）に沿って対向するように、第２コネクタ２０を配置する。
【０１０８】
次に、図１３（ｂ）に示すように、第２コネクタ２０の凸部２２を嵌合方向（図中Ｘ方向）に移動させ、第１コネクタ１０の一対の係止部１３間の空間に挿入する。このとき、第２コネクタ２０の凸部２２は、第２磁石２３が第１磁石１４と引き合うことにより、基部１１に向かって一対の係止部１３間を通過するように引き寄せられる。
【０１０９】
そして、凸部２２の先端に設けられた突起２２ａが係止凹部１３ｂに嵌合すると、一対の係止部１３が凸部２２に係止し、係止凹部１３ｂが突起２２ａに係止する。このとき、一対の係止部１３が凸部２２の上下方向（つまり、嵌合方向（図中Ｘ方向）に直交する上下方向（図中Ｚ方向及び図中逆Ｚ方向））に位置しているので、第２コネクタ２０が嵌合方向（図中Ｘ方向）と異なる第１方向（つまり、嵌合方向に直交する上下方向（図中Ｚ方向及び図中逆Ｚ方向））に移動するのを一対の係止部１３によって規制することができる。また、係止凹部１３ｂが突起２２ａの幅方向（つまり、嵌合方向（図中Ｘ方向）に直交する幅方向（図中Ｙ方向及び図中逆Ｙ方向））に位置しているので、第２コネクタ２０が嵌合方向（図中Ｘ方向）と異なる第１方向（つまり、嵌合方向に直交する幅方向（図中Ｙ方向及び図中逆Ｙ方向））に移動するのを係止凹部１３ｂによって規制することができる。
【０１１０】
なお、この変形例において、ヘッドカバーをポケットやベルト等（所定の保持位置）から取り外す場合には、例えば、第２コネクタ２０の凸部２２を、第１方向（図中Ｙ方向、図中逆Ｙ方向、図中Ｚ方向、及び、図中逆Ｚ方向）とは異なる第２方向（例えば、図中逆Ｘ方向）に移動させることによって、一対の係止部１３及び係止凹部１３ｂによる凸部２２及び突起２２ａの係止状態を解除してもよい。これにより、ヘッドカバーをポケットやベルト等から取り外すことができる。
【産業上の利用可能性】
【０１１１】
本発明のゴルフクラブ用ヘッドカバーの保持具は、所定の保持位置から意図せず外れてしまうのを抑制することの可能なゴルフクラブ用ヘッドカバーの保持具として好適に利用することができるので、その産業上の利用可能性は極めて大きい。
【符号の説明】
【０１１２】
１…ヘッドカバー本体
１０…第１コネクタ
１３…係止部
１３ａ…一対の突起部
１３ｂ…係止凹部
１４…第１磁石
２０…第２コネクタ
２３…第２磁石
Ａ…第１取付具
Ａ１…フック部
Ａ２，Ａ４，Ａ６…一対の挟持部
Ａ３…付勢部
Ａ５…屈曲部
Ｂ…第２取付具
Ｂ１…フック部
Ｂ３…巻付部
Ｂ５，Ｂ７，Ｂ９…一対の挟持部
Ｂ６…付勢部
Ｂ８…屈曲部
【図１】
2019130187.tif 000003
【図２】
2019130187.tif 000004
【図３】
2019130187.tif 000005
【図４】
2019130187.tif 000006
【図５】
2019130187.tif 000007
【図６】
2019130187.tif 000008
【図７】
2019130187.tif 000009
【図８】
2019130187.tif 000010
【図９】
2019130187.tif 000011
【図１０】
2019130187.tif 000012
【図１１】
2019130187.tif 000013
【図１２】
2019130187.tif 000014
【図１３】
2019130187.tif 000015